(57)【要約】  本開示のいくつかの態様は、一般にワイヤレス通信に関する。いくつかの態様では、ユーザ機器は、測定に関連付けられた測定オブジェクトに少なくとも部分的に基づいてユーザ機器のキャリアの複数の帯域幅部分に関する測定を決定し、測定オブジェクトに少なくとも部分的に基づいて複数の帯域幅部分に関するセル品質を決定し、ならびに／あるいは測定オブジェクトに少なくとも部分的に基づいて測定および／またはセル品質を識別する測定報告を送信し得る。多数の他の態様が提供される。
2020535737.tif 000002
【特許請求の範囲】
【請求項１】
ユーザ機器によって実施されるワイヤレス通信の方法であって、
キャリアに関連付けられた測定オブジェクトに少なくとも部分的に基づいて前記ユーザ機器の前記キャリアの複数の帯域幅部分に関する１つまたは複数の測定を決定することと、
前記測定オブジェクトに少なくとも部分的に基づいて前記複数の帯域幅部分に関するセル品質を決定することと、
前記測定オブジェクトに少なくとも部分的に基づいて前記１つまたは複数の測定および／または前記セル品質を識別する測定報告を送信することと
を備える、方法。
【請求項２】
前記測定オブジェクトが、前記複数の帯域幅部分のうちのそれぞれの帯域幅部分に対応する複数の異なる測定構成を識別する、請求項１に記載の方法。
【請求項３】
前記測定オブジェクトが、前記測定報告のための複数の異なる報告構成を識別し、ここにおいて、前記複数の異なる報告構成が、前記複数の帯域幅部分のうちのそれぞれの帯域幅部分に対応し、ここにおいて、前記ユーザ機器が、前記ユーザ機器の前記複数の帯域幅部分のうちの少なくとも１つの帯域幅部分に関連付けられた特定の報告構成を識別するように構成された、請求項２に記載の方法。
【請求項４】
前記少なくとも１つの帯域幅部分に対応する、前記複数の異なる測定構成のうちの特定の測定構成は、前記特定の報告構成が前記少なくとも１つの帯域幅部分に関連付けられることを示すポインタを含む、請求項３に記載の方法。
【請求項５】
前記特定の報告構成は、前記特定の報告構成が前記少なくとも１つの帯域幅部分のための特定の測定構成に関連付けられることを示す情報を含む、請求項３に記載の方法。
【請求項６】
前記複数の帯域幅部分のうちの帯域幅部分が同期信号を含まないとき、前記帯域幅部分のための測定構成が、
前記帯域幅部分に関連付けられた中心周波数、
別の帯域幅部分または別のキャリア中の同期信号に関連付けられたポインタ、
前記帯域幅部分に関連付けられた帯域幅、あるいは
前記帯域幅部分のための基準信号構成
のうちの少なくとも１つを識別する、請求項１に記載の方法。
【請求項７】
前記セル品質が、前記複数の帯域幅部分のうちの特定の１つにおける測定に少なくとも部分的に基づいて決定される、請求項１に記載の方法。
【請求項８】
前記セル品質が、物理ブロードキャストチャネルを含む帯域幅部分における測定に少なくとも部分的に基づいて決定される、請求項１に記載の方法。
【請求項９】
前記物理ブロードキャストチャネルが、前記キャリアを提供するセルの唯一の物理ブロードキャストチャネルである、請求項８に記載の方法。
【請求項１０】
前記物理ブロードキャストチャネルが、前記複数の帯域幅部分のうちの単一の帯域幅部分上で提供される、請求項８に記載の方法。
【請求項１１】
前記測定報告が、前記複数の帯域幅部分に関する前記１つまたは複数の測定の値を含む、請求項１に記載の方法。
【請求項１２】
前記測定報告が、
周期的報告、または
トリガされた報告
のうちの少なくとも１つであり、ここにおいて、前記測定報告が報告構成に少なくとも部分的に基づく、請求項１に記載の方法。
【請求項１３】
前記測定報告が、セル品質しきい値に少なくとも部分的に基づいてトリガされる、請求項１に記載の方法。
【請求項１４】
前記セル品質しきい値が、同期信号のための第１のしきい値または基準信号のための第２のしきい値に少なくとも部分的に基づき、
ここにおいて、前記第１のしきい値または前記第２のしきい値が、前記ユーザ機器の報告構成に少なくとも部分的に基づいて使用される、
請求項１３に記載の方法。
【請求項１５】
前記１つまたは複数の測定が、無線リソース制御レイヤフィルタ処理技法に少なくとも部分的に基づいて決定される、請求項１に記載の方法。
【請求項１６】
前記１つまたは複数の測定が、報告構成に従って同期信号または基準信号に少なくとも部分的に基づいて選択的に決定される、請求項１に記載の方法。
【請求項１７】
基地局によって実施されるワイヤレス通信の方法であって、
キャリアにおけるユーザ機器の測定オブジェクトを構成することと、
ここにおいて、前記測定オブジェクトが、複数の帯域幅部分のための複数の測定構成と、前記複数の帯域幅部分のための対応する報告構成とを含む、
前記ユーザ機器から、前記複数の帯域幅部分のうちの第１の帯域幅部分から第２の帯域幅部分に切り替えるための能力を識別する情報を受信することと、
前記能力および／または前記測定オブジェクトに少なくとも部分的に基づいて前記ユーザ機器の切替えパターンを構成することと
を備える、方法。
【請求項１８】
前記能力が、少なくとも、前記第１の帯域幅部分から前記第２の帯域幅部分に切り替えるためのレイテンシを含む、請求項１７に記載の方法。
【請求項１９】
前記能力が、ダウンリンク帯域幅部分間で切り替えるためのものである、請求項１７に記載の方法。
【請求項２０】
前記能力が、アップリンク帯域幅部分間で切り替えるためのものである、請求項１７に記載の方法。
【請求項２１】
前記能力が、前記第１の帯域幅部分のためのシグナリング手法および前記第２の帯域幅部分のためのシグナリング手法に少なくとも部分的に基づく、請求項１７に記載の方法。
【請求項２２】
ユーザ機器によって実施されるワイヤレス通信の方法であって、
前記ユーザ機器の複数のアクティブ化された帯域幅部分に関して、しきい値が満たされると決定することと、
前記複数のアクティブ化された帯域幅部分に関して、復元または変更を引き起こすためのメッセージを送信することと
を備える、方法。
【請求項２３】
前記メッセージが、競合ベースランダムアクセスメッセージである、請求項２２に記載の方法。
【請求項２４】
前記しきい値が、前記複数のアクティブ化された帯域幅部分に関連付けられた信号品質値または負荷のうちの少なくとも１つに関する、請求項２２に記載の方法。
【請求項２５】
アップリンク帯域幅部分における前記メッセージのためのリソースが、前記複数のアクティブ化された帯域幅部分のうちの帯域幅部分の残存システム情報中で示される、請求項２２に記載の方法。
【請求項２６】
前記メッセージが、アップリンク帯域幅部分の事前構成されたリソース中で送信される、請求項２２に記載の方法。
【請求項２７】
しきい値長さの時間内に前記メッセージへの応答を受信しないことに少なくとも部分的に基づいて前記メッセージを再送信することをさらに備える、請求項２２に記載の方法。
【請求項２８】
前記しきい値が満たされると決定することは、前記しきい値が、しきい値長さの時間の間、満たされると決定することを備える、請求項２２に記載の方法。
【請求項２９】
ワイヤレス通信のためのユーザ機器であって、
メモリと、
前記メモリに動作可能に結合された１つまたは複数のプロセッサとを備え、前記メモリおよび前記１つまたは複数のプロセッサは、
キャリアに関連付けられた測定オブジェクトに少なくとも部分的に基づいて前記ユーザ機器の前記キャリアの複数の帯域幅部分に関する１つまたは複数の測定を決定することと、
前記測定オブジェクトに少なくとも部分的に基づいて前記複数の帯域幅部分に関するセル品質を決定することと、
前記測定オブジェクトに少なくとも部分的に基づいて前記１つまたは複数の測定および／または前記セル品質を識別する測定報告を送信することと
を行うように構成された、
ユーザ機器。
【請求項３０】
前記測定オブジェクトが、前記複数の帯域幅部分のうちのそれぞれの帯域幅部分に対応する複数の異なる測定構成を識別する、請求項２９に記載のユーザ機器。
【請求項３１】
前記セル品質が、前記複数の帯域幅部分のうちの特定の１つにおける測定に少なくとも部分的に基づいて決定される、請求項２９に記載のユーザ機器。
【請求項３２】
前記セル品質が、物理ブロードキャストチャネルを含む帯域幅部分における測定に少なくとも部分的に基づいて決定される、請求項２９に記載のユーザ機器。
【請求項３３】
前記物理ブロードキャストチャネルが、前記キャリアを提供するセルの唯一の物理ブロードキャストチャネルである、請求項３２に記載のユーザ機器。
【請求項３４】
前記物理ブロードキャストチャネルが、前記複数の帯域幅部分のうちの単一の帯域幅部分上で提供される、請求項３２に記載のユーザ機器。
【請求項３５】
ワイヤレス通信のための基地局であって、
メモリと、
前記メモリに動作可能に結合された１つまたは複数のプロセッサとを備え、前記メモリおよび前記１つまたは複数のプロセッサは、
キャリアにおけるユーザ機器の測定オブジェクトを構成することと、
ここにおいて、前記測定オブジェクトが、複数の帯域幅部分のための複数の測定構成と、前記複数の帯域幅部分のための対応する報告構成とを含む、
前記ユーザ機器から、前記複数の帯域幅部分のうちの第１の帯域幅部分から第２の帯域幅部分に切り替えるための能力を識別する情報を受信することと、
前記能力および／または前記測定オブジェクトに少なくとも部分的に基づいて前記ユーザ機器の切替えパターンを構成することと
を行うように構成された、
基地局。
【請求項３６】
前記能力が、少なくとも、前記第１の帯域幅部分から前記第２の帯域幅部分に切り替えるためのレイテンシを含む、請求項３５に記載の基地局。
【請求項３７】
前記能力が、前記第１の帯域幅部分のためのシグナリング手法および前記第２の帯域幅部分のためのシグナリング手法に少なくとも部分的に基づく、請求項３５に記載の基地局。
【請求項３８】
ワイヤレス通信のためのユーザ機器であって、
メモリと、
前記メモリに動作可能に結合された１つまたは複数のプロセッサとを備え、前記メモリおよび前記１つまたは複数のプロセッサは、
前記ユーザ機器の複数のアクティブ化された帯域幅部分に関して、しきい値が満たされると決定することと、
前記複数のアクティブ化された帯域幅部分に関して、復元または変更を引き起こすためのメッセージを送信することと
を行うように構成された、
ユーザ機器。
【請求項３９】
前記メッセージが、競合ベースランダムアクセスメッセージである、請求項３８に記載のユーザ機器。
【請求項４０】
アップリンク帯域幅部分における前記メッセージのためのリソースが、前記複数のアクティブ化された帯域幅部分のうちの帯域幅部分の残存システム情報中で示される、請求項３８に記載のユーザ機器。
【請求項４１】
ワイヤレス通信のための１つまたは複数の命令を記憶する非一時的コンピュータ可読媒体であって、前記１つまたは複数の命令は、
ユーザ機器の１つまたは複数のプロセッサによって実行されたとき、前記１つまたは複数のプロセッサに、
キャリアに関連付けられた測定オブジェクトに少なくとも部分的に基づいて前記ユーザ機器の前記キャリアの複数の帯域幅部分に関する１つまたは複数の測定を決定することと、
前記測定オブジェクトに少なくとも部分的に基づいて前記複数の帯域幅部分に関するセル品質を決定することと、
前記測定オブジェクトに少なくとも部分的に基づいて前記１つまたは複数の測定および／または前記セル品質を識別する測定報告を送信することと
を行わせる、１つまたは複数の命令
を備える、非一時的コンピュータ可読媒体。
【請求項４２】
ワイヤレス通信のための１つまたは複数の命令を記憶する非一時的コンピュータ可読媒体であって、前記１つまたは複数の命令は、
基地局の１つまたは複数のプロセッサによって実行されたとき、前記１つまたは複数のプロセッサに、
キャリアにおけるユーザ機器の測定オブジェクトを構成することと、
ここにおいて、前記測定オブジェクトが、複数の帯域幅部分のための複数の測定構成と、前記複数の帯域幅部分のための対応する報告構成とを含む、
前記ユーザ機器から、前記複数の帯域幅部分のうちの第１の帯域幅部分から第２の帯域幅部分に切り替えるための能力を識別する情報を受信することと、
前記能力および／または前記測定オブジェクトに少なくとも部分的に基づいて前記ユーザ機器の切替えパターンを構成することと
を行わせる、１つまたは複数の命令
を備える、非一時的コンピュータ可読媒体。
【請求項４３】
ワイヤレス通信のための１つまたは複数の命令を記憶する非一時的コンピュータ可読媒体であって、前記１つまたは複数の命令は、
ユーザ機器の１つまたは複数のプロセッサによって実行されたとき、前記１つまたは複数のプロセッサに、
前記ユーザ機器の複数のアクティブ化された帯域幅部分に関して、しきい値が満たされると決定することと、
前記複数のアクティブ化された帯域幅部分に関して、復元または変更を引き起こすためのメッセージを送信することと
を行わせる、１つまたは複数の命令
を備える、非一時的コンピュータ可読媒体。
【請求項４４】
ワイヤレス通信のための装置であって、
キャリアに関連付けられた測定オブジェクトに少なくとも部分的に基づいて前記装置の前記キャリアの複数の帯域幅部分に関する１つまたは複数の測定を決定するための手段と、
前記測定オブジェクトに少なくとも部分的に基づいて前記複数の帯域幅部分に関するセル品質を決定するための手段と、
前記測定オブジェクトに少なくとも部分的に基づいて前記１つまたは複数の測定または前記セル品質のうちの少なくとも１つを識別する測定報告を送信するための手段と
を備える、装置。
【請求項４５】
ワイヤレス通信のための装置であって、
キャリアにおけるユーザ機器の測定オブジェクトを構成するための手段と、
ここにおいて、前記測定オブジェクトが、複数の帯域幅部分のための複数の測定構成と、前記複数の帯域幅部分のための対応する報告構成とを含む、
前記ユーザ機器から、前記複数の帯域幅部分のうちの第１の帯域幅部分から第２の帯域幅部分に切り替えるための能力を識別する情報を受信するための手段と、
前記能力および／または前記測定オブジェクトに少なくとも部分的に基づいて前記ユーザ機器の切替えパターンを構成するための手段と
を備える、装置。
【請求項４６】
ワイヤレス通信のための装置であって、
前記装置の複数のアクティブ化された帯域幅部分に関して、しきい値が満たされると決定するための手段と、
前記複数のアクティブ化された帯域幅部分に関して、復元または変更を引き起こすためのメッセージを送信するための手段と
を備える、装置。
【発明の詳細な説明】
【技術分野】
【０００１】
関連出願の相互参照
[0001]本出願は、参照により本明細書に明確に組み込まれる、２０１７年９月２８日に出願された「TECHNIQUES AND APPARATUSES FOR RADIO RESOURCE MANAGEMENT WITH MULTIPLE BANDWIDTH PARTS」と題する特許協力条約（ＰＣＴ）特許出願第ＰＣＴ／ＣＮ２０１７／１０３９５２号の優先権を主張する。
【０００２】
[0002]本開示の態様は、一般にワイヤレス通信に関し、より詳細には、複数の帯域幅部分を伴う無線リソース管理のための技法および装置に関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力など）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。
【０００４】
[0004]ワイヤレス通信ネットワークは、いくつかのユーザ機器（ＵＥ）のための通信をサポートすることができるいくつかの基地局（ＢＳ）を含み得る。ユーザ機器（ＵＥ）は、ダウンリンクおよびアップリンクを介して基地局（ＢＳ）と通信し得る。ダウンリンク（または順方向リンク）はＢＳからＵＥへの通信リンクを指し、アップリンク（または逆方向リンク）はＵＥからＢＳへの通信リンクを指す。本明細書でより詳細に説明されるように、ＢＳは、ノードＢ、ｇＮＢ、アクセスポイント（ＡＰ）、ラジオヘッド、送信受信ポイント（ＴＲＰ）、新無線（ＮＲ）ＢＳ、５ＧノードＢなどと呼ばれることがある。
【０００５】
[0005]上記の多元接続技術は、異なるユーザ機器が都市、国家、地域、さらには地球規模で通信することを可能にする共通プロトコルを提供するために、様々な電気通信規格において採用されている。５Ｇと呼ばれることもある、新無線（ＮＲ）は、第３世代パートナーシッププロジェクト（３ＧＰＰ）によって公表されたＬＴＥモバイル規格の拡張のセットである。ＮＲは、スペクトル効率を改善すること、コストを下げること、サービスを改善すること、新しいスペクトルを利用すること、および、ダウンリンク（ＤＬ）上でサイクリックプレフィックス（ＣＰ）を伴う直交周波数分割多重（ＯＦＤＭ）（ＣＰ−ＯＦＤＭ）を使用して、アップリンク（ＵＬ）上でＣＰ−ＯＦＤＭおよび／または（たとえば、離散フーリエ変換拡散ＯＤＦＭ（ＤＦＴ−ｓ−ＯＦＤＭ）としても知られる）ＳＣ−ＦＤＭを使用して、他のオープン規格とより良く統合すること、ならびに、ビームフォーミング、多入力多出力（ＭＩＭＯ）アンテナ技術、およびキャリアアグリゲーションをサポートすることによって、モバイルブロードバンドインターネットアクセスをより良くサポートするように設計されている。しかしながら、モバイルブロードバンドアクセスに対する需要が増加し続けるにつれて、ＬＴＥおよびＮＲ技術のさらなる改善が必要である。好ましくは、これらの改善は、他の多元接続技術と、これらの技術を採用する電気通信規格とに適用可能であるべきである。
【発明の概要】
【０００６】
[0006]いくつかの態様では、ユーザ機器によって実施されるワイヤレス通信の方法は、測定に関連付けられた測定オブジェクトに少なくとも部分的に基づいてユーザ機器のキャリアの複数の帯域幅部分に関する測定を決定すること、測定オブジェクトに少なくとも部分的に基づいて複数の帯域幅部分に関するセル品質を決定すること、ならびに／あるいは測定オブジェクトに少なくとも部分的に基づいて測定および／またはセル品質を識別する測定報告を送信することを含み得る。
【０００７】
[0007]いくつかの態様では、ワイヤレス通信のためのユーザ機器は、メモリと、メモリに動作可能に結合された１つまたは複数のプロセッサとを含み得る。メモリおよび１つまたは複数のプロセッサは、測定に関連付けられた測定オブジェクトに少なくとも部分的に基づいてユーザ機器のキャリアの複数の帯域幅部分に関する測定を決定すること、測定オブジェクトに少なくとも部分的に基づいて複数の帯域幅部分に関するセル品質を決定すること、ならびに／あるいは測定オブジェクトに少なくとも部分的に基づいて測定および／またはセル品質を識別する測定報告を送信することを行うように構成され得る。
【０００８】
[0008]いくつかの態様では、非一時的コンピュータ可読媒体は、ワイヤレス通信のための１つまたは複数の命令を記憶し得る。１つまたは複数の命令は、ユーザ機器の１つまたは複数のプロセッサによって実行されたとき、１つまたは複数のプロセッサに、測定に関連付けられた測定オブジェクトに少なくとも部分的に基づいてユーザ機器のキャリアの複数の帯域幅部分に関する測定を決定すること、測定オブジェクトに少なくとも部分的に基づいて複数の帯域幅部分に関するセル品質を決定すること、ならびに／あるいは測定オブジェクトに少なくとも部分的に基づいて測定および／またはセル品質を識別する測定報告を送信することを行わせ得る。
【０００９】
[0009]いくつかの態様では、ワイヤレス通信のための装置は、測定に関連付けられた測定オブジェクトに少なくとも部分的に基づいて装置のキャリアの複数の帯域幅部分に関する測定を決定すること、測定オブジェクトに少なくとも部分的に基づいて複数の帯域幅部分に関するセル品質を決定すること、ならびに／あるいは測定オブジェクトに少なくとも部分的に基づいて測定および／またはセル品質を識別する測定報告を送信することを行うための手段を含み得る。
【００１０】
[0010]いくつかの態様では、基地局によって実施されるワイヤレス通信の方法は、キャリアにおけるユーザ機器の測定オブジェクトを構成すること、ここにおいて、測定オブジェクトが、複数の帯域幅部分のための複数の測定構成と、複数の帯域幅部分のための対応する報告構成とを含む、ユーザ機器から、複数の帯域幅部分のうちの第１の帯域幅部分から第２の帯域幅部分に切り替えるための能力を識別する情報を受信すること、ならびに／あるいは能力および／または測定オブジェクトに少なくとも部分的に基づいてユーザ機器の切替えパターンを構成することを含み得る。
【００１１】
[0011]いくつかの態様では、ワイヤレス通信のための基地局は、メモリと、メモリに動作可能に結合された１つまたは複数のプロセッサとを含み得る。メモリおよび１つまたは複数のプロセッサは、キャリアにおけるユーザ機器の測定オブジェクトを構成すること、ここにおいて、測定オブジェクトが、複数の帯域幅部分のための複数の測定構成と、複数の帯域幅部分のための対応する報告構成とを含む、ユーザ機器から、複数の帯域幅部分のうちの第１の帯域幅部分から第２の帯域幅部分に切り替えるための能力を識別する情報を受信すること、ならびに／あるいは能力および／または測定オブジェクトに少なくとも部分的に基づいてユーザ機器の切替えパターンを構成することを行うように構成され得る。
【００１２】
[0012]いくつかの態様では、非一時的コンピュータ可読媒体は、ワイヤレス通信のための１つまたは複数の命令を記憶し得る。１つまたは複数の命令は、基地局の１つまたは複数のプロセッサによって実行されたとき、１つまたは複数のプロセッサに、キャリアにおけるユーザ機器の測定オブジェクトを構成すること、ここにおいて、測定オブジェクトが、複数の帯域幅部分のための複数の測定構成と、複数の帯域幅部分のための対応する報告構成とを含む、ユーザ機器から、複数の帯域幅部分のうちの第１の帯域幅部分から第２の帯域幅部分に切り替えるための能力を識別する情報を受信すること、ならびに／あるいは能力および／または測定オブジェクトに少なくとも部分的に基づいてユーザ機器の切替えパターンを構成することを行わせ得る。
【００１３】
[0013]いくつかの態様では、ワイヤレス通信のための装置は、キャリアにおけるユーザ機器の測定オブジェクトを構成するための手段、ここにおいて、測定オブジェクトが、複数の帯域幅部分のための複数の測定構成と、複数の帯域幅部分のための対応する報告構成とを含む、ユーザ機器から、複数の帯域幅部分のうちの第１の帯域幅部分から第２の帯域幅部分に切り替えるための能力を識別する情報を受信するための手段、ならびに／あるいは能力および／または測定オブジェクトに少なくとも部分的に基づいてユーザ機器の切替えパターンを構成するための手段を含み得る。
【００１４】
[0014]いくつかの態様では、ユーザ機器によって実施されるワイヤレス通信の方法は、ユーザ機器の複数のアクティブ化された帯域幅部分に関して、しきい値が満たされると決定すること、および／あるいは、複数のアクティブ化された帯域幅部分に関して、復元または変更を引き起こすためのメッセージを送信することを含み得る。
【００１５】
[0015]いくつかの態様では、ワイヤレス通信のためのユーザ機器は、メモリと、メモリに動作可能に結合された１つまたは複数のプロセッサとを含み得る。メモリおよび１つまたは複数のプロセッサは、ユーザ機器の複数のアクティブ化された帯域幅部分に関して、しきい値が満たされると決定すること、および／あるいは、複数のアクティブ化された帯域幅部分に関して、復元または変更を引き起こすためのメッセージを送信することを行うように構成され得る。
【００１６】
[0016]いくつかの態様では、非一時的コンピュータ可読媒体は、ワイヤレス通信のための１つまたは複数の命令を記憶し得る。１つまたは複数の命令は、ユーザ機器の１つまたは複数のプロセッサによって実行されたとき、１つまたは複数のプロセッサに、ユーザ機器の複数のアクティブ化された帯域幅部分に関して、しきい値が満たされると決定すること、および／あるいは、複数のアクティブ化された帯域幅部分に関して、復元または変更を引き起こすためのメッセージを送信することを行わせ得る。
【００１７】
[0017]いくつかの態様では、ワイヤレス通信のための装置は、ユーザ機器の複数のアクティブ化された帯域幅部分に関して、しきい値が満たされると決定するための手段、および／あるいは、複数のアクティブ化された帯域幅部分に関して、復元または変更を引き起こすためのメッセージを送信するための手段を含み得る。
【００１８】
[0018]態様は、概して、添付の図面および明細書を参照しながら本明細書で実質的に説明され、添付の図面および明細書によって示されるように、方法、装置、システム、コンピュータプログラム製品、非一時的コンピュータ可読媒体、ユーザ機器、ワイヤレス通信デバイス、および処理システムを含む。
【００１９】
[0019]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００２０】
[0020]本開示の上記で具陳された特徴が詳細に理解され得るように、添付の図面にその一部が示される態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。異なる図面中の同じ参照番号は、同じまたは同様の要素を識別し得る。
【図面の簡単な説明】
【００２１】
【図１】[0021]本開示のいくつかの態様による、ワイヤレス通信ネットワークの一例を概念的に示すブロック図。
【図２】[0022]本開示のいくつかの態様による、ワイヤレス通信ネットワークにおいてユーザ機器（ＵＥ）と通信している基地局の一例を概念的に示すブロック図。
【図３】[0023]本開示の様々な態様による、ＮＲ無線アクセス技術における帯域幅部分の一例を示す図。
【図４】[0024]本開示の様々な態様による、ＮＲ無線アクセス技術における帯域幅部分に関連付けられた情報の一例を示す図。
【図５Ａ】[0025]本開示の様々な態様による、複数の帯域幅部分のための無線リソース管理の例を示す図。
【図５Ｂ】本開示の様々な態様による、複数の帯域幅部分のための無線リソース管理の例を示す図。
【図６】[0026]本開示の様々な態様による、帯域幅部分障害の場合における複数の帯域幅部分のための無線リソース管理の一例を示す図。
【図７】[0027]本開示の様々な態様による、たとえば、ユーザ機器によって実施される例示的なプロセスを示す図。
【図８】[0028]本開示の様々な態様による、たとえば、基地局によって実施される例示的なプロセスを示す図。
【図９】[0029]本開示の様々な態様による、たとえば、ユーザ機器によって実施される例示的なプロセスを示す図。
【図１０Ａ】[0030]本開示の様々な態様による、複数の異なる帯域幅部分に関係する測定オブジェクトの例を示す図。
【図１０Ｂ】本開示の様々な態様による、複数の異なる帯域幅部分に関係する測定オブジェクトの例を示す図。
【発明を実施するための形態】
【００２２】
[0031]添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載された任意の数の態様を使用して装置が実装され得、または方法が実施され得る。さらに、本開示の範囲は、本明細書に記載された本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００２３】
[0032]次に、様々な装置および技法を参照しながら電気通信システムのいくつかの態様が提示される。これらの装置および技法は、以下の発明を実施するための形態において説明され、（「要素」と総称される）様々なブロック、モジュール、構成要素、回路、ステップ、プロセス、アルゴリズムなどによって添付の図面に示される。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００２４】
[0033]本明細書では、３Ｇおよび／または４Ｇのワイヤレス技術に一般に関連する用語を使用して態様が説明され得るが、本開示の態様は、ＮＲ技術を含む、５Ｇ以降など、他の世代ベースの通信システムにおいて適用され得ることに留意されたい。
【００２５】
[0034]図１は、本開示の態様が実施され得るネットワーク１００を示す図である。ネットワーク１００は、ＬＴＥネットワーク、あるいは、５ＧまたはＮＲネットワークなど、いくつかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、およびＢＳ１１０ｄとして示される）と他のネットワークエンティティとを含み得る。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送信受信ポイント（ＴＲＰ）などと呼ばれることもある。各ＢＳは、特定の地理的エリアに通信カバレージを与え得る。３ＧＰＰでは、「セル」という用語は、この用語が使用されるコンテキストに応じて、このカバレージエリアをサービスするＢＳおよび／またはＢＳサブシステムのカバレージエリアを指すことができる。
【００２６】
[0035]ＢＳは、マクロセル、ピコセル、フェムトセル、および／または別のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのＢＳはマクロＢＳと呼ばれることがある。ピコセルのためのＢＳはピコＢＳと呼ばれることがある。フェムトセルのためのＢＳは、フェムトＢＳまたはホームＢＳと呼ばれることがある。図１に示されている例では、ＢＳ１１０ａがマクロセル１０２ａのためのマクロＢＳであり得、ＢＳ１１０ｂがピコセル１０２ｂのためのピコＢＳであり得、ＢＳ１１０ｃがフェムトセル１０２ｃのためのフェムトＢＳであり得る。ＢＳは、１つまたは複数の（たとえば、３つの）セルをサポートし得る。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および「セル」という用語は、本明細書では互換的に使用され得る。
【００２７】
[0036]いくつかの例では、セルは必ずしも固定であるとは限らないことがあり、セルの地理的エリアは、モバイルＢＳのロケーションに従って移動することがある。いくつかの例では、ＢＳは、任意の好適なトランスポートネットワークを使用して、直接物理接続、仮想ネットワークなど、様々なタイプのバックホールインターフェースを通して、互いに、および／あるいはアクセスネットワーク１００中の１つまたは複数の他のＢＳまたはネットワークノード（図示せず）に相互接続され得る。
【００２８】
[0037]ワイヤレスネットワーク１００はまた、中継局を含み得る。中継局は、上流局（たとえば、ＢＳまたはＵＥ）からデータの送信を受信し、そのデータの送信を下流局（たとえば、ＵＥまたはＢＳ）に送ることができるエンティティである。中継局はまた、他のＵＥに対する送信を中継することができるＵＥであり得る。図１に示されている例では、中継局１１０ｄは、マクロＢＳ１１０ａとＵＥ１２０ｄとの間の通信を可能にするために、ＢＳ１１０ａおよびＵＥ１２０ｄと通信し得る。中継局は、リレーＢＳ、リレー基地局、リレーなどと呼ばれることもある。
【００２９】
[0038]ワイヤレスネットワーク１００は、異なるタイプのＢＳ、たとえば、マクロＢＳ、ピコＢＳ、フェムトＢＳ、リレーＢＳなどを含む異種ネットワークであり得る。これらの異なるタイプのＢＳは、異なる送信電力レベル、異なるカバレージエリア、およびワイヤレスネットワーク１００における干渉に対する異なる影響を有し得る。たとえば、マクロＢＳは、高い送信電力レベル（たとえば、５〜４０ワット）を有し得るが、ピコＢＳ、フェムトＢＳ、およびリレーＢＳは、より低い送信電力レベル（たとえば、０．１〜２ワット）を有し得る。
【００３０】
[0039]ネットワークコントローラ１３０は、ＢＳのセットに結合し得、これらのＢＳの協調および制御を行い得る。ネットワークコントローラ１３０はバックホールを介してＢＳと通信し得る。ＢＳはまた、たとえば、ワイヤレスバックホールまたはワイヤラインバックホールを介して直接または間接的に互いと通信し得る。
【００３１】
[0040]ＵＥ１２０（たとえば、１２０ａ、１２０ｂ、１２０ｃ）はワイヤレスネットワーク１００全体にわたって分散され得、各ＵＥは固定式または移動可能であり得る。ＵＥは、アクセス端末、端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスまたは医療機器、生体センサー／生体デバイス、ウェアラブルデバイス（スマートウォッチ、スマート衣類、スマートグラス、スマートリストバンド、スマートジュエリー（たとえば、スマートリング、スマートブレスレット））、エンターテインメントデバイス（たとえば、音楽デバイスまたはビデオデバイス、あるいは衛星ラジオ）、車両構成要素または車両センサー、スマートメーター／スマートセンサー、工業用製造機器、全地球測位システムデバイス、あるいはワイヤレス媒体またはワイヤード媒体を介して通信するように構成された任意の他の好適なデバイスであり得る。
【００３２】
[0041]いくつかのＵＥは、マシンタイプ通信（ＭＴＣ）ＵＥあるいは発展型または拡張マシンタイプ通信（ｅＭＴＣ）ＵＥと見なされ得る。ＭＴＣ  ＵＥおよびｅＭＴＣ  ＵＥは、たとえば、基地局、別のデバイス（たとえば、リモートデバイス）、または何らかの他のエンティティと通信し得る、センサー、メーター、モニタ、ロケーションタグなど、ロボット、ドローン、リモートデバイスを含む。ワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかのＵＥは、モノのインターネット（ＩｏＴ）デバイスと見なされ得、および／またはＮＢ−ＩｏＴ（狭帯域モノのインターネット）デバイスとして実装され得るとして実装され得る。いくつかのＵＥは、顧客構内機器（ＣＰＥ：Customer Premises Equipment）と見なされ得る。ＵＥ１２０は、プロセッサ構成要素、メモリ構成要素など、ＵＥ１２０の構成要素を格納するハウジング内に含まれ得る。
【００３３】
[0042]概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。いくつかの場合には、ＮＲまたは５Ｇ  ＲＡＴネットワークが展開され得る。
【００３４】
[0043]いくつかの例では、エアインターフェースへのアクセスがスケジュールされ得、スケジューリングエンティティ（たとえば、基地局）が、スケジューリングエンティティのサービスエリアまたはセル内の一部または全部のデバイスおよび機器の間での通信のためのリソースを割り振る。本開示内では、以下でさらに説明するように、スケジューリングエンティティは、１つまたは複数の従属エンティティのためのリソースをスケジュールすること、割り当てること、再構成すること、および解放することを担当し得る。すなわち、スケジュールされた通信のために、従属エンティティは、スケジューリングエンティティによって割り振られたリソースを利用する。
【００３５】
[0044]基地局は、スケジューリングエンティティとして機能し得る唯一のエンティティではない。すなわち、いくつかの例では、ＵＥが、１つまたは複数の従属エンティティ（たとえば、１つまたは複数の他のＵＥ）のためのリソースをスケジュールする、スケジューリングエンティティとして機能し得る。この例では、ＵＥは、スケジューリングエンティティとして機能しており、他のＵＥは、ワイヤレス通信のためにＵＥによってスケジュールされたリソースを利用する。ＵＥは、ピアツーピア（Ｐ２Ｐ）ネットワークにおいて、および／またはメッシュネットワークにおいてスケジューリングエンティティとして機能し得る。メッシュネットワーク例では、ＵＥは、スケジューリングエンティティと通信することに加えて、随意に、互いと直接通信し得る。
【００３６】
[0045]したがって、時間周波数リソースへのスケジュールされたアクセスを伴い、セルラー構成と、Ｐ２Ｐ構成と、メッシュ構成とを有するワイヤレス通信ネットワークでは、スケジューリングエンティティおよび１つまたは複数の従属エンティティは、スケジュールされたリソースを利用して通信し得る。
【００３７】
[0046]上記のように、図１は一例として与えられるにすぎない。他の例が可能であり、図１に関して説明されたものとは異なり得る。
【００３８】
[0047]図２は、図１中の基地局のうちの１つであり得るＢＳ１１０および図１中のＵＥのうちの１つであり得るＵＥ１２０の設計２００のブロック図を示す。ＢＳ１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００３９】
[0048]ＢＳ１１０において、送信プロセッサ２２０が、１つまたは複数のＵＥについてデータソース２１２からデータを受信し、ＵＥから受信されたチャネル品質インジケータ（ＣＱＩ）に少なくとも部分的に基づいて各ＵＥのための１つまたは複数の変調およびコーディング方式（ＭＣＳ）を選択し、そのＵＥのために選択された（１つまたは複数の）ＭＣＳに少なくとも部分的に基づいて各ＵＥのためのデータを処理（たとえば、符号化および変調）し、すべてのＵＥについてデータシンボルを与え得る。送信プロセッサ２２０はまた、（たとえば、半静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを与え得る。送信プロセッサ２２０はまた、基準信号（たとえば、セル固有基準信号（ＣＲＳ））および同期信号（たとえば、１次同期信号（ＰＳＳ）および２次同期信号（ＳＳＳ））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実施し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのための）それぞれの出力シンボルストリームを処理し得る。各変調器２３２は、さらに、ダウンリンク信号を取得するために、出力サンプルストリームを処理（たとえば、アナログに変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。以下でより詳細に説明されるいくつかの態様によれば、同期信号は、追加情報を伝達するためにロケーション符号化を用いて生成され得る。
【００４０】
[0049]ＵＥ１２０において、アンテナ２５２ａ〜２５２ｒが、ＢＳ１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、受信信号を調整（たとえば、フィルタ処理、増幅、ダウンコンバート、およびデジタル化）し得る。各復調器２５４は、さらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実施し、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）などを決定し得る。
【００４１】
[0050]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備える報告のための）制御情報とを受信し、処理し得る。送信プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＤＦＴ−ｓ−ＯＦＤＭ、ＣＰ−ＯＦＤＭなどのために）変調器２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。受信プロセッサ２３８は、復号されたデータをデータシンク２３９に与え、復号された制御情報をコントローラ／プロセッサ２４０に与え得る。ＢＳ１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。いくつかの態様では、ＵＥ１２０の１つまたは複数の構成要素は、ハウジング中に含まれ得る。
【００４２】
[0051]ＢＳ１１０のコントローラ／プロセッサ２４０、ＵＥ１２０のコントローラ／プロセッサ２８０、および／または図２の（１つまたは複数の）任意の他の構成要素は、本明細書の他の場所でより詳細に説明されるように、複数の帯域幅部分のための無線リソース管理に関連付けられた１つまたは複数の技法を実施し得る。たとえば、ＢＳ１１０のコントローラ／プロセッサ２４０、ＵＥ１２０のコントローラ／プロセッサ２８０、および／または図２の（１つまたは複数の）任意の他の構成要素は、たとえば、図７のプロセス７００、図８のプロセス８００、図９のプロセス９００、および／または本明細書で説明される他のプロセスの動作を実施または指示し得る。メモリ２４２および２８２は、それぞれＢＳ１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００４３】
[0052]いくつかの態様では、ＵＥ１２０は、測定に関連付けられた測定オブジェクトに少なくとも部分的に基づいてＵＥ１２０のキャリアの複数の帯域幅部分に関する測定を決定するための手段、測定オブジェクトに少なくとも部分的に基づいて複数の帯域幅部分に関するセル品質を決定するための手段、測定オブジェクトに少なくとも部分的に基づいて測定および／またはセル品質を識別する測定報告を送信するための手段、ＵＥ１２０の複数のアクティブ化された帯域幅部分に関して、しきい値が満たされると決定するための手段、複数のアクティブ化された帯域幅部分に関して、復元または変更を引き起こすためのメッセージを送信するための手段、しきい値長さの時間内にメッセージへの応答を受信しないことに少なくとも部分的に基づいてメッセージを再送信するための手段などを含み得る。いくつかの態様では、そのような手段は、図２に関して説明されるＵＥ１２０の１つまたは複数の構成要素を含み得る。
【００４４】
[0053]いくつかの態様では、ＢＳ１１０は、キャリアにおけるＵＥ１２０の測定オブジェクトを構成するための手段、ＵＥ１２０から、複数の帯域幅部分のうちの第１の帯域幅部分から第２の帯域幅部分に切り替えるための能力を識別する情報を受信するための手段、能力および／または測定オブジェクトに少なくとも部分的に基づいてＵＥ１２０の切替えパターンを構成するための手段などを含み得る。いくつかの態様では、そのような手段は、図２に関して説明されるＢＳ１１０の１つまたは複数の構成要素を含み得る。
【００４５】
[0054]上記のように、図２は一例として与えられるにすぎない。他の例が可能であり、図２に関して説明されたものとは異なり得る。
【００４６】
[0055]図３は、本開示の様々な態様による、ＮＲ無線アクセス技術における帯域幅部分の一例３００を示す図である。
【００４７】
[0056]ＮＲでは、ＵＥ１２０は、１つまたは複数の帯域幅部分を割り当てられ得る。参照番号３１０によって示されているように、帯域幅部分は、キャリアの一部を占有し得る（たとえば、キャリアのすべてよりも小さい）。ＵＥ１２０のための帯域幅部分を使用して通信することによって、ＵＥ１２０のためのキャリア全体を使用して通信することと比較して、電力および無線リソースが節約される。さらに、および参照番号３２０によって示されているように、いくつかの態様では、ＵＥ１２０は、複数の帯域幅部分を使用して通信し得る。ここで、ＵＥ１２０は、第１の帯域幅部分（ＢＷＰ）（たとえば、ＢＷＰ１）および第２の帯域幅部分（たとえば、ＢＷＰ２）に関連付けられている。潜在的にＵＥ１２０に関連付けられていない他のデータが、ＢＷＰ１とＢＷＰ２との間で搬送され得ることに留意されたい。いくつかの場合には、（たとえば、スケジューリング制約に少なくとも部分的に基づいて、干渉を低減するため、ガードバンドのために、など）ＢＷＰ１とＢＷＰ２との間のリソースは未使用であり得る。このようにして、不連続帯域幅部分割当てと、帯域幅部分としてのＵＥ１２０のためのキャリアの適切なサブセットの割当てとを可能にすることによって、エアインターフェースリソースの汎用性が改善される。
【００４８】
[0057]いくつかの態様では、２つまたはそれ以上の帯域幅部分は、部分的にまたは完全にキャリアにおいて重複し得る。追加または代替として、２つまたはそれ以上の帯域幅部分は、互いに直交し得るか、または重複しないことがある。帯域幅部分は、アップリンク上でおよび／またはダウンリンク上で使用され得る。ヌメロロジー、周波数ロケーション、および／または帯域幅が、（たとえば、無線リソース制御（ＲＲＣ）シグナリングを介して）各帯域幅部分のために構成され得る。帯域幅部分は、（たとえば、ダウンリンク制御情報（ＤＣＩ）、メディアアクセス制御（ＭＡＣ）制御要素（ＣＥ）などを使用する明示的インジケーションによって）アクティブ化または非アクティブ化され得る。たとえば、ＵＥ１２０は、１つまたは複数の構成された帯域幅部分で構成され得、構成された帯域幅部分のサブセットは、シグナリングを使用してＵＥ１２０のためにアクティブ化または非アクティブ化され得る。
【００４９】
[0058]上記のように、図３は一例として与えられる。他の例が可能であり、図３に関して説明されたものとは異なり得る。
【００５０】
[0059]図４は、本開示の様々な態様による、ＮＲ無線アクセス技術における帯域幅部分に関連付けられた情報の一例４００を示す図である。
【００５１】
[0060]図４に、および参照番号４１０によって、示されているように、いくつかの態様では、帯域幅部分（たとえば、ＢＷＰ２）は、同期信号ブロックと、ＮＲ物理ブロードキャストチャネル（ＰＢＣＨ）（ＮＲ−ＰＢＣＨ）などの物理ブロードキャストチャネルとを含み得る。いくつかの態様では、ＰＢＣＨまたはＮＲ−ＰＢＣＨは、セル定義同期信号ブロックと呼ばれることがある。「ＮＲ−ＰＢＣＨ」は、本明細書では「セル定義同期信号ブロック」と互換的に使用され得る。同期信号ブロックおよび／またはＮＲ−ＰＢＣＨは、セル探索および／または獲得のために使用され得る。いくつかの態様では、同期信号ブロックは、１次同期信号（ＰＳＳ）、２次同期信号（ＳＳＳ）、ＮＲ  ＰＳＳ（ＮＰＳＳ）、ＮＲ  ＳＳＳ（ＮＳＳＳ）などを含み得る。いくつかの態様では、単一の帯域幅部分の帯域幅は、少なくとも同期信号ブロックと同程度に大きくなり得る。
【００５２】
[0061]参照番号４２０によって示されているように、いくつかの態様では、帯域幅部分（たとえば、ＢＷＰ１）は、同期信号ブロックおよび／またはＰＢＣＨを含まないことがある。これは、帯域幅部分に関して同期することが必要でない状況において、データの送信のための追加の帯域幅を与え得、同期信号ブロックを含まないキャリアにおけるＢＷＰの使用を可能にし得る。
【００５３】
[0062]参照番号４３０によって示されているように、いくつかの態様では、帯域幅部分（たとえば、ＢＷＰ３）は、同期信号ブロックを含み、ＮＲ−ＰＢＣＨを含まないことがある。追加または代替として、帯域幅部分は、ＮＲ−ＰＢＣＨを含み、同期信号ブロックを含まないことがある。参照番号４４０によって示されているように、同期信号ブロックを含むシングルキャリアの帯域幅部分は、キャリアに対応する同じ物理セル識別子で構成され得る。そうでない場合は、ＵＥ１２０は、同期信号ブロックが同じキャリアに関連付けられているかどうかに関して混乱することがあるので、ＵＥ１２０は、シングルキャリアと同期することが可能でないことがある。
【００５４】
[0063]上記のように、図４は一例として与えられる。他の例が可能であり、図４に関して説明されたものとは異なり得る。
【００５５】
[0064]ＵＥ１２０は、複数の異なるアップリンクおよび／またはダウンリンク帯域幅部分を使用してＢＳ１１０と通信し得る。ＢＳ１１０は、測定オブジェクトを使用してＵＥ１２０のためのセル品質測定を構成し得る。しかしながら、複数の帯域幅部分に関連付けられたＵＥ１２０のための測定オブジェクトおよびセル品質測定の構成は、いくつかの問題を提示し得る。たとえば、複数の帯域幅部分が複数の同期信号ブロックを含む場合、複数の同期信号ブロックに関してキャリア固有測定オブジェクトを構成することは困難であり得る。追加または代替として、複数のセル測定を実施することは、著しい電力およびＵＥリソースを使用し得るので、複数の帯域幅部分のためのセル品質測定を決定することは困難であり得る。複数の帯域幅部分のための無線リソース管理の別の課題は、帯域幅部分の追加および解放に関し得る。たとえば、ＵＥ１２０は、ＢＷＰ固有測定および報告を実施する必要があり得、ある帯域幅部分から別の帯域幅部分に切り替えることは、（たとえば、異なるシグナリング構成、帯域幅分離などに少なくとも部分的に基づいて）可変遅延またはレイテンシを伴い得る。追加または代替として、ＵＥ１２０は、損失したまたはドロップされたアクティブ帯域幅部分を迅速に復元するための機構から恩恵を受け得る。
【００５６】
[0065]本明細書で説明されるいくつかの技法および装置は、複数の帯域幅部分を伴うＵＥの無線リソース管理を与え得る。たとえば、本明細書で説明されるいくつかの技法および装置は、キャリアの複数の帯域幅部分のための測定構成および報告構成を識別するために、キャリアごとに単一の測定オブジェクトの構成を与える。本明細書で説明されるいくつかの技法および装置は、そのような測定オブジェクトに少なくとも部分的に基づいて測定および報告を与える。本明細書で説明されるいくつかの技法および装置は、帯域幅部分に関連付けられたＵＥ１２０の切替え能力に少なくとも部分的に基づいて帯域幅部分を切り替えるためのタイミングパターンの決定を与える。本明細書で説明されるいくつかの技法および装置は、失敗したまたはドロップされた帯域幅部分の検出と、その検出に少なくとも部分的に基づく復元または切替えプロセスのためのシグナリングとを与える。
【００５７】
[0066]このようにして、複数の帯域幅部分のための測定の精度および信頼性が改善される。さらに、複数の帯域幅部分の測定のためのリソースおよび電力消費が低減される。またさらに、失敗した帯域幅部分からのグレースフル復元（graceful recovery）が与えられる。なお一層、帯域幅部分間で切り替えることのより正確なスケジューリングが達成される。
【００５８】
[0067]図５Ａおよび図５Ｂは、本開示の様々な態様による、複数の帯域幅部分のための無線リソース管理の例５００を示す図である。図５Ａに、および参照番号５０５によって、示されているように、ＵＥ１２０は、キャリア（たとえば、キャリア１）および複数の異なる帯域幅部分（たとえば、帯域幅部分１および帯域幅部分３）に関連付けられ得る。いくつかの態様では、帯域幅部分１と帯域幅部分３とは不連続であり得る。いくつかの態様では、帯域幅部分１と帯域幅部分３とは連続し得る。いくつかの態様では、帯域幅部分１および／または帯域幅部分３は、同期信号ブロックを含み得る。追加または代替として、帯域幅部分１および／または帯域幅部分３は、ＮＲ−ＰＢＣＨを含み得る。たとえば、帯域幅部分１または帯域幅部分３のうちの一方のみが、ＮＲ−ＰＢＣＨを含み得る。いくつかの態様では、セルごとに１つの帯域幅部分が、ＮＲ−ＰＢＣＨを含み得る。いくつかの態様では、ＵＥ１２０に関連付けられた帯域幅部分（たとえば、ＵＥ１２０のアクティブ帯域幅部分または構成された帯域幅部分）のうちの１つの帯域幅部分が、ＮＲ−ＰＢＣＨを含み得る。いくつかの態様では、ＮＲ−ＰＢＣＨは、キャリアに関連付けられたセルの時間基準と見なされ得る。帯域幅部分１および／または帯域幅部分３は、ＵＥ１２０のアクティブ帯域幅部分であり得、および／あるいはアクティブ化されていないかまたは非アクティブ化されている、ＵＥ１２０の構成された帯域幅部分であり得る。
【００５９】
[0068]参照番号５１０によって示されているように、ＢＳ１１０は、ＵＥ１２０にキャリア１のための測定オブジェクトを与え得る。たとえば、ＢＳ１１０は測定オブジェクトを構成し得る。測定オブジェクトは、キャリア１のための測定構成、報告構成、および／またはセル品質導出構成を識別し得る。たとえば、測定構成は、ＵＥ１２０がどのように測定を実施するべきであるか（たとえば、周波数、帯域幅、基準信号のロケーション、フィルタ処理技法など）を識別し得る。報告構成は、測定報告の送信をトリガするためにＵＥ１２０によって使用される基準を識別し得、ＵＥ１２０が測定報告中に含めるべきである品質または値を識別し得る。たとえば、報告構成は、測定すべき基準信号（たとえば、チャネル状態情報（ＣＳＩ）基準信号（ＣＳＩ−ＲＳ）など、基準信号または同期信号）、周期的トリガまたはイベントベーストリガ、イベントタイプ（たとえば、Ａ１イベント、Ａ２イベント、Ａ３イベント、Ａ４イベント、Ａ５イベント、Ａ６イベント、または別のタイプのイベント）、示されたイベントタイプのためのしきい値、報告タイプなどを識別し得る。いくつかの態様では、イベントタイプトリガは、ＬＴＥにおいて知られているイベントタイプトリガと同様であるか、またはそれらと同等であり得る。セル品質導出構成は、測定の値に少なくとも部分的に基づいてセル品質値をどのように識別すべきかを識別し得る。キャリア１のための単一の測定オブジェクトを使用して、測定構成、報告構成、およびセル品質導出を定義することによって、そうでない場合に複数の異なる帯域幅部分の測定によって引き起こされ得る混乱が回避される。
【００６０】
[0069]参照番号５１５によって示されているように、ＵＥ１２０は、測定オブジェクトに従って１つまたは複数の測定構成および１つまたは複数の報告構成を識別し得る。たとえば、ＵＥ１２０は、（たとえば、帯域幅部分１および／または帯域幅部分３の識別子に少なくとも部分的に基づいて）帯域幅部分１および／または帯域幅部分３に対応する１つまたは複数の測定構成を識別し得、（たとえば、帯域幅部分１および／または帯域幅部分３の識別子に少なくとも部分的に基づいて）帯域幅部分１および／または帯域幅部分３に対応する１つまたは複数の報告構成を識別し得る。いくつかの態様では、ＵＥ１２０は、測定構成に少なくとも部分的に基づいて報告構成を識別し得る。たとえば、測定構成は、対応する報告構成へのポインタを含み得る。測定オブジェクトの内容のより詳細な説明については、以下の図１０Ａおよび図１０Ｂに付随する説明を参照されたい。
【００６１】
[0070]参照番号５２０によって示されているように、ＵＥ１２０は、測定構成に従って、およびトリガ条件に少なくとも部分的に基づいて、帯域幅部分１および帯域幅部分３のための１つまたは複数の測定を決定し得る。たとえば、（たとえば、しきい値長さの時間の間）トリガ条件が満たされたとき、ＵＥ１２０は、測定報告を生成するために測定を実施し得る。いくつかの態様では、ＵＥ１２０は、レイヤ１フィルタ処理技法（たとえば、物理レイヤ）を使用して、測定を決定し得る。たとえば、サービングセル管理の場合、レイヤ１フィルタ処理が使用され得る。いくつかの態様では、ＵＥ１２０は、レイヤ３（たとえば、無線リソース制御レイヤ）フィルタ処理技法を使用して、測定を決定し得る。たとえば、モビリティ管理の場合、レイヤ３フィルタ処理技法が、ＮＲ−ＰＢＣＨを含む帯域幅部分のために使用され得る。
【００６２】
[0071]いくつかの態様では、ＵＥ１２０は、周期的に測定報告を生成し得る。ＵＥ１２０は、報告構成に少なくとも部分的に基づいて、測定報告を送信するためのトリガ条件および／または周期性を識別し得る。ＵＥ１２０は、同期信号（たとえば、ＰＳＳ、ＳＳＳ、ＮＰＳＳ、ＮＳＳＳなど）、基準信号（たとえば、ＣＳＩ−ＲＳまたは同様の基準信号）などに少なくとも部分的に基づいて、１つまたは複数の測定を決定し得る。たとえば、ＵＥ１２０の測定構成は、どのタイプの信号が使用されるべきであるかを示し得る。
【００６３】
[0072]いくつかの態様では、ＵＥ１２０は、複数の異なる帯域幅部分のための組み合わせられた測定値を決定し得る。たとえば、ＵＥ１２０は、複数の異なる帯域幅部分の平均測定値を決定し得る。追加または代替として、ＵＥ１２０は、複数の異なる帯域幅部分の最大測定値を決定し得る。追加または代替として、ＵＥ１２０は、複数のアクティブ化された帯域幅部分の平均測定値または最大測定値を決定し得る。追加または代替として、ＵＥ１２０は、複数の構成された（たとえば、アクティブ化または非アクティブ化された）帯域幅部分のための平均測定値または最大測定値を決定し得る。
【００６４】
[0073]追加または代替として、ＵＥ１２０は、単一の帯域幅部分のための測定値を決定し得る。たとえば、ＵＥ１２０は、ＮＲ−ＰＢＣＨを含む単一の帯域幅部分のための測定値を決定し得る。これは、キャリアごとに１つのＮＲ−ＰＢＣＨのみが送信されるとき、特に有益であり得る。いくつかの態様では、ＵＥ１２０は、サービングセルとターゲットセルとの間の協調の後に、サービングセルとターゲットセルとの間で重複する単一の帯域幅部分のための測定値を決定し得る。これは、ＵＥ１２０がサービングセルからターゲットセルにハンドオーバするべきであるとき、有益であり得る。このようにして、ＵＥ１２０は、複数の異なる帯域幅部分に少なくとも部分的に基づいて、組み合わせられた測定値を決定し得、これは、（たとえば、ＢＷＰ固有セル品質値ではなく）ＵＥ固有セル品質値の決定を与える。いくつかの態様では、ＵＥ１２０は、サービングセルの無線リソース管理（ＲＲＭ）のための測定値を決定し得る。たとえば、ＵＥ１２０は、どの帯域幅部分がアクティブ化されているかにかかわらず、ＮＲ−ＰＢＣＨを含む帯域幅部分に少なくとも部分的に基づいてＲＲＭを実施し得る。
【００６５】
[0074]参照番号５２５によって示されているように、ＵＥ１２０は、測定値を使用してセル品質を決定し得る。たとえば、ＵＥ１２０は、（たとえば、組み合わせられた測定値が決定されたとき）組み合わせられた測定値を使用してセル品質を決定し得る。追加または代替として、ＵＥ１２０は、ＮＲ−ＰＢＣＨを有する帯域幅部分、またはターゲットセルとサービングセルとの間で共有される帯域幅部分など、単一の帯域幅部分のための測定値を使用してセル品質を決定し得る。いくつかの態様では、ＵＥ１２０は、たとえば、チャネル品質インジケータ（ＣＱＩ）、基準信号受信電力（ＲＳＲＰ）、基準信号受信品質（ＲＳＲＱ）、受信信号強度インジケータ（ＲＳＳＩ）、上記の測定値および／またはセル品質値の組合せなどを決定し得る。
【００６６】
[0075]参照番号５３０によって示されているように、ＵＥ１２０は、報告構成に従って帯域幅部分１および帯域幅部分３のためのセル品質（たとえば、および／または測定値）を報告し得る。いくつかの態様では、ＵＥ１２０は、すべての構成された（またはアクティブ化された）帯域幅部分のためのセル品質値を報告し得る。いくつかの態様では、ＵＥ１２０は、最も強いＸ個の帯域幅部分のための測定値を報告し得、ただし、Ｘは任意の整数である。そのような場合、Ｘの値は、構成可能および／または可変であり得る。いくつかの態様では、ＵＥ１２０は、単一の周波数ロケーションのためのサービングセル品質値／ネイバーセル品質値のペアを報告し得る。いくつかの態様では、ＵＥ１２０は、同じ周波数ロケーションにおけるサービングセルとネイバーセルとの間の差を報告し得る。ＵＥ１２０は、周期ベースでおよび／またはイベントトリガベースで、ならびに同期信号および／または基準信号について、上記の報告のうちのいずれかを実施し得る。
【００６７】
[0076]参照番号５３５によって示されているように、ＵＥ１２０は、帯域幅部分１および帯域幅部分３に関する測定報告を与え得る。このようにして、ＵＥ１２０は、単一の測定オブジェクトに少なくとも部分的に基づいて（たとえば、ＢＷＰ固有セル品質値ではなく）ＵＥ固有セル品質値を決定し、ＢＳ１１０にセル品質値を報告する。したがって、複数の帯域幅部分を伴うＵＥのための測定および報告の単純さおよび効率が改善される。
【００６８】
[0077]図５Ｂは、ＵＥ１２０の切替え能力を示し、切替え能力に従ってＵＥ１２０の切替えパターンを構成する、一例５００を示す。図５Ｂのために、図５Ａで説明される動作が実施されたと仮定する。しかしながら、図５Ｂで説明される動作は、図５Ａで説明される動作によって先行される必要はなく、図５Ｂで説明される動作は、図５Ａで説明される動作とは無関係に実施され得る。
【００６９】
[0078]図５Ｂに、および参照番号５４０によって、示されているように、ＵＥ１２０は、第１の帯域幅部分（たとえば、ＢＷＰ  Ａ）から第２の帯域幅部分（たとえば、ＢＷＰ  Ｂ）への切替え能力を報告し得る。いくつかの態様では、切替え能力は、第１の帯域幅部分から第２の帯域幅部分に切り替えることに関連付けられたレイテンシを識別し得る。追加または代替として、切替え能力は、異なるタイプの帯域幅部分間で切り替えることに関連付けられたレイテンシを識別し得る。たとえば、切替え能力は、アップリンク帯域幅部分および／またはダウンリンク帯域幅部分に関し得る、第１のシグナリングタイプ（たとえば、ＤＣＩ、ＭＡＣ−ＣＥなど）に関連付けられた帯域幅部分と、第２のシグナリングタイプ（たとえば、ＤＣＩ、ＭＡＣ−ＣＥなど）との間で切り替えるためのレイテンシを識別し得る、ＣＱＩに少なくとも部分的に基づいて遅延を示し得る、無線周波数遅延に少なくとも部分的に基づいて遅延を示し得る、などである。
【００７０】
[0079]参照番号５４５によって示されているように、ＢＳ１１０は、切替え能力に少なくとも部分的に基づいてＵＥ１２０のための切替えパターンを構成し得る。たとえば、切替えパターンは、第１の帯域幅部分から第２の帯域幅部分に切り替えるためのスケジューリングおよび／またはタイミングを識別し得る。追加または代替として、切替えパターンは、切替え能力に少なくとも部分的に基づいて構成されたサイクル（たとえば、周波数ホッピングサイクルなど）を識別し得る。特定の例として、切替えパターンは、２つの帯域幅部分間で切り替えるために十分な時間が与えられるように、２つの帯域幅部分間で切り替えるためのレイテンシに少なくとも部分的に基づいて構成され得る。
【００７１】
[0080]参照番号５５０によって示されているように、ＢＳ１１０は、切替えパターンに少なくとも部分的に基づいてＵＥ１２０のためのトラフィックをスケジュールし得、参照番号５５５によって示されているように、ＢＳ１１０とＵＥ１２０とは、スケジュールされたパターンに少なくとも部分的に基づいて通信し得る。たとえば、ＢＳ１１０は、２つまたはそれ以上の帯域幅部分間で切り替えるための十分な時間を与える様式で、切替えパターンに少なくとも部分的に基づいて２つまたはそれ以上の帯域幅部分上のトラフィックをスケジュールし得る。このようにして、スケジューリングの効率が改善され、異なる帯域幅部分上での送信間のギャップがより正確に決定され得る。
【００７２】
[0081]上記のように、図５Ａおよび図５Ｂは例として与えられる。他の例が可能であり、図５Ａおよび図５Ｂに関して説明されたものとは異なり得る。
【００７３】
[0082]図６は、本開示の様々な態様による、帯域幅部分障害の場合における複数の帯域幅部分のための無線リソース管理の一例６００を示す図である。図６に関して説明される動作は、図５Ａおよび図５Ｂに関して説明される動作とは無関係に、またはそれらの動作とともに実施され得る。
【００７４】
[0083]図６に、および参照番号６０５によって、示されているように、ＵＥ１２０は、複数の帯域幅部分のコンディション(condition)を検出し得る。いくつかの態様では、ＵＥ１２０は、上記で図５Ａに関して説明された動作に従って決定される品質など、複数の帯域幅部分に関連付けられた品質（たとえば、測定値、セル品質、ＣＱＩ、スループット、信号強度、または同様の値）に少なくとも部分的に基づいてコンディションを検出し得る。追加または代替として、ＵＥ１２０は、負荷（たとえば、しきい値リソース利用可能性、しきい値信号対雑音比、または同様の値）に少なくとも部分的に基づいてコンディションを検出し得る。いくつかの態様では、ＵＥ１２０は、時間しきい値またはタイマーに少なくとも部分的に基づいて障害を検出し得る。たとえば、ＵＥ１２０は、障害コンディションがしきい値長さの時間の間、満たされたとき、コンディションを検出し得る。
【００７５】
[0084]参照番号６１０によって示されているように、ＵＥ１２０は、コンディションを検出することに少なくとも部分的に基づいて、復元要求を送信し得る。いくつかの態様では、および図示のように、ＵＥ１２０は、構成された（たとえば、事前構成された、フォールバックなど）アップリンク帯域幅部分など、特定の帯域幅部分において復元要求を送信し得る。いくつかの態様では、ＵＥ１２０は、復元要求が送信されるべきである帯域幅部分および／またはリソースを示す情報を受信し得る。たとえば、その情報は、アクティブダウンリンク帯域幅部分において搬送される残存システム情報（ＲＭＳＩ）中で受信され得る。いくつかの態様では、ＵＥ１２０は、ランダムアクセスリソースとして復元要求を送信し得る。たとえば、ＵＥ１２０は、物理ランダムアクセスチャネル（ＰＲＡＣＨ）リソース中で復元要求を送信し得る。そのような場合、ＵＥ１２０は、競合ベースランダムアクセスチャネル（ＲＡＣＨ）プロシージャに少なくとも部分的に基づいて、復元要求を送信し得る。いくつかの態様では、ＢＳ１１０は、ＲＭＳＩを使用してＵＥ１２０のためのＲＡＣＨプロシージャを構成し得る。たとえば、ＢＳ１１０は、（たとえば、ＲＭＳＩを含む、サービングセルの）リンクされたダウンリンク帯域幅部分が、サービングセルのためのＮＲ−ＰＢＣＨまたは同期信号ブロックを搬送する場合、アップリンク帯域幅のためのＲＡＣＨプロシージャを構成し得る。
【００７６】
[0085]参照番号６１５によって示されているように、ＢＳ１１０は復元要求を検出し得、参照番号６２０によって示されているように、ＢＳ１１０は、ＵＥ１２０とｇＮＢ（たとえば、ＢＳ１１０または別のＢＳ）との間の帯域幅部分ペアを再構成し得る。たとえば、ＢＳ１１０は、ＵＥ１２０にとって利用可能な帯域幅部分（たとえば、構成された帯域幅部分、またはＵＥ１２０のためにまだ構成されていない帯域幅部分）を識別し得る。参照番号６２５によって示されているように、ＢＳ１１０は、更新された帯域幅部分ペアを識別する情報をＵＥ１２０に送信し得、ＵＥ１２０とＢＳ１１０とは、更新された帯域幅部分ペアを使用して通信し得る。帯域幅部分ペアが、構成された帯域幅部分ペアであるとき、ＢＳ１１０は、帯域幅部分ペアをアクティブ化し得る。帯域幅部分ペアが、構成されていない帯域幅部分ペアであるとき、ＢＳ１１０は、帯域幅部分ペアを構成およびアクティブ化し得る。このようにして、ＵＥ１２０は、複数の帯域幅部分の障害を検出し、帯域幅部分の別のペアのアクティブ化を構成する。いくつかの態様では、ＵＥ１２０は、しきい値長さの時間内に復元要求への応答を受信しないとき、ＵＥ１２０は、復元要求を再送信し得る。
【００７７】
[0086]上記のように、図６は一例として与えられる。他の例が可能であり、図６に関して説明されたものとは異なり得る。
【００７８】
[0087]図７は、本開示の様々な態様による、たとえば、ＵＥによって実施される例示的なプロセス７００を示す図である。例示的なプロセス７００は、ＵＥ（たとえば、ＵＥ１２０）が複数の帯域幅部分のための無線リソース管理を実施する一例である。
【００７９】
[0088]図７に示されているように、いくつかの態様では、プロセス７００は、キャリアに関連付けられた測定オブジェクトに少なくとも部分的に基づいてユーザ機器のキャリアの複数の帯域幅部分に関する１つまたは複数の測定を決定することを含み得る（ブロック７１０）。たとえば、ユーザ機器は、（たとえば、コントローラ／プロセッサ２８０などを使用して）複数の帯域幅部分に関する測定（たとえば、１つまたは複数の測定値）を決定し得る。複数の帯域幅部分は、ユーザ機器のキャリア中に含まれ得る（たとえば、ユーザ機器のキャリアの適切なサブセットであり得る）。ユーザ機器は、キャリアに関連付けられた測定オブジェクトに少なくとも部分的に基づいて測定を決定し得る。たとえば、測定オブジェクトは、キャリアとの１対１の対応を有し得る。
【００８０】
[0089]図７に示されているように、いくつかの態様では、プロセス７００は、測定オブジェクトに少なくとも部分的に基づいて複数の帯域幅部分に関するセル品質を決定することを含み得る（ブロック７２０）。たとえば、ユーザ機器は、（たとえば、コントローラ／プロセッサ２８０などを使用して）セル品質値を決定し得る。セル品質値は、複数の帯域幅部分に関し得る。たとえば、セル品質値は、複数の帯域幅部分に関連付けられた測定値の組合せに少なくとも部分的に基づき得る。ユーザ機器は、測定オブジェクトに少なくとも部分的に基づいてセル品質値を決定し得る。たとえば、測定オブジェクトは、測定値からセル品質値をどのように導出すべきかを示す構成情報を記憶し得る。
【００８１】
[0090]図７に示されているように、いくつかの態様では、プロセス７００は、測定オブジェクトに少なくとも部分的に基づいて１つまたは複数の測定および／またはセル品質を識別する測定報告を送信することを含み得る（ブロック７３０）。たとえば、ユーザ機器は、（たとえば、コントローラ／プロセッサ２８０、送信プロセッサ２６４、ＴＸ  ＭＩＭＯプロセッサ２６６、ＭＯＤ２５４、アンテナ２５２などを使用して）測定報告を送信し得る。測定報告は、測定オブジェクトに少なくとも部分的に基づいて測定値および／またはセル品質を識別し得る。たとえば、測定報告は、測定オブジェクト中で識別された報告構成に従ってフォーマットされ得る。
【００８２】
[0091]プロセス７００は、以下で説明される、および／または本明細書の他の場所で説明される１つまたは複数の他のプロセスに関する、任意の単一の態様または態様の任意の組合せなど、追加の態様を含み得る。
【００８３】
[0092]いくつかの態様では、測定オブジェクトは、複数の帯域幅部分のうちのそれぞれの帯域幅部分に対応する複数の異なる測定構成を識別する。
【００８４】
[0093]いくつかの態様では、測定オブジェクトは、測定報告のための複数の異なる報告構成を識別し、複数の異なる報告構成は、複数の帯域幅部分のうちのそれぞれの帯域幅部分に対応し、ユーザ機器は、ユーザ機器の複数の帯域幅部分のうちの少なくとも１つの帯域幅部分に関連付けられた特定の報告構成を識別するように構成される。
【００８５】
[0094]いくつかの態様では、少なくとも１つの帯域幅部分に対応する、複数の異なる測定構成のうちの特定の測定構成は、特定の報告構成が少なくとも１つの帯域幅部分に関連付けられることを示すポインタを含む。いくつかの態様では、特定の報告構成は、特定の報告構成が少なくとも１つの帯域幅部分のための特定の測定構成に関連付けられることを示す情報を含む。いくつかの態様では、複数の帯域幅部分のうちの帯域幅部分が同期信号を含むとき、帯域幅部分のための測定構成は、帯域幅部分に関連付けられた中心周波数、帯域幅部分中の同期信号に関連付けられた周波数オフセット、または帯域幅部分に関連付けられた帯域幅のうちの少なくとも１つを識別する。
【００８６】
[0095]いくつかの態様では、複数の帯域幅部分のうちの帯域幅部分が同期信号を含まないとき、帯域幅部分のための測定構成は、帯域幅部分に関連付けられた中心周波数、別の帯域幅部分または別のキャリア中の同期信号に関連付けられたポインタ、帯域幅部分に関連付けられた帯域幅、あるいは帯域幅部分のための基準信号構成のうちの少なくとも１つを識別する。
【００８７】
[0096]いくつかの態様では、セル品質は、複数の帯域幅部分のための１つまたは複数の測定のうちの２つまたはそれ以上の測定の組合せに少なくとも部分的に基づいて決定される。いくつかの態様では、その組合せは、複数の帯域幅部分のための平均測定または最大測定を含む。
【００８８】
[0097]いくつかの態様では、セル品質は、複数の帯域幅部分のうちの特定の１つにおける測定に少なくとも部分的に基づいて決定される。いくつかの態様では、複数の帯域幅部分は、複数の構成された帯域幅部分である。いくつかの態様では、複数の帯域幅部分は、複数のアクティブ化された帯域幅部分である。いくつかの態様では、セル品質は、物理ブロードキャストチャネルを含む帯域幅部分における測定に少なくとも部分的に基づいて決定される。いくつかの態様では、物理ブロードキャストチャネルは、キャリアを提供するセルの唯一の物理ブロードキャストチャネルである。いくつかの態様では、セル品質は、事前構成された基準同期信号を伴う帯域幅部分のための測定に少なくとも部分的に基づいて決定される。いくつかの態様では、物理ブロードキャストチャネルは、複数の帯域幅部分のうちの単一の帯域幅部分上で提供される。
【００８９】
[0098]いくつかの態様では、セル品質は、サービングセルとターゲットセルとの間で重複する帯域幅部分のための測定に少なくとも部分的に基づいて決定される。いくつかの態様では、測定報告は、複数の帯域幅部分に関する１つまたは複数の測定を含む。いくつかの態様では、測定報告は、１つまたは複数の最も強い帯域幅部分を含む、複数の帯域幅部分のサブセットに関する、１つまたは複数の測定の値のうちの値を含む。いくつかの態様では、測定報告は、サービングセルとターゲットセルとの間で重複する複数の帯域幅部分のうちの帯域幅部分のためのペアにされた測定の値を含む。
【００９０】
[0099]いくつかの態様では、測定報告は、サービングセルに関連付けられた帯域幅部分とネイバーセルに関連付けられた帯域幅部分との間の差を含む。いくつかの態様では、測定報告は、周期的報告またはトリガされた報告のうちの少なくとも１つであり、ここにおいて、測定報告は報告構成に少なくとも部分的に基づく。いくつかの態様では、測定報告は、セル品質しきい値に少なくとも部分的に基づいてトリガされる。いくつかの態様では、セル品質しきい値は、同期信号のための第１のしきい値または基準信号のための第２のしきい値に少なくとも部分的に基づき、ここにおいて、第１のしきい値または第２のしきい値は、ユーザ機器の報告構成に少なくとも部分的に基づいて使用される。いくつかの態様では、１つまたは複数の測定は、物理レイヤフィルタ処理技法に少なくとも部分的に基づいて決定される。
【００９１】
[00100]いくつかの態様では、１つまたは複数の測定は、無線リソース制御レイヤフィルタ処理技法に少なくとも部分的に基づいて決定される。いくつかの態様では、１つまたは複数の測定は、報告構成に従って同期信号または基準信号に少なくとも部分的に基づいて選択的に決定される。
【００９２】
[00101]図７はプロセス７００の例示的なブロックを示すが、いくつかの態様では、プロセス７００は、図７に示されているもの以外に、追加のブロック、より少数のブロック、異なるブロック、または別様に構成されたブロックを含み得る。追加または代替として、プロセス７００のブロックのうちの２つまたはそれ以上が並列に実施され得る。
【００９３】
[00102]図８は、本開示の様々な態様による、たとえば、基地局によって実施される例示的なプロセス８００を示す図である。例示的なプロセス８００は、基地局（たとえば、ＢＳ１１０）が複数の帯域幅部分のための無線リソース管理を実施する一例である。
【００９４】
[00103]図８に示されているように、いくつかの態様では、プロセス８００は、キャリアにおけるユーザ機器の測定オブジェクトを構成すること、ここにおいて、測定オブジェクトが、複数の帯域幅部分のための複数の測定構成と、複数の帯域幅部分のための対応する報告構成とを含む、を含み得る（ブロック８１０）。たとえば、基地局は、（たとえば、コントローラ／プロセッサ２４０、送信プロセッサ２２０、ＴＸ  ＭＩＭＯプロセッサ２３０、ＭＯＤ２３２、アンテナ２３４などを使用して）キャリアにおけるユーザ機器の測定オブジェクトを構成し得る。測定オブジェクトはキャリアに対応し得る。測定オブジェクトは、キャリアの複数の帯域幅部分のための複数の測定構成を含み得、複数の帯域幅部分のための対応する報告構成を含み得る（たとえば、報告構成は、測定構成および／または帯域幅部分に対応し得る）。
【００９５】
[00104]図８に示されているように、いくつかの態様では、プロセス８００は、ユーザ機器から、複数の帯域幅部分のうちの第１の帯域幅部分から第２の帯域幅部分に切り替えるための能力を識別する情報を受信することを含み得る（ブロック８２０）。たとえば、基地局は、（たとえば、アンテナ２３４、ＤＥＭＯＤ２３２、ＭＩＭＯ検出器２３６、受信プロセッサ２３８、コントローラ／プロセッサ２４０などを使用して）第１の帯域幅部分（または第１の帯域幅部分タイプ）から第２の帯域幅部分（または第２の帯域幅部分タイプ）に切り替えるための能力を識別する情報を受信し得る。いくつかの態様では、その情報は、レイテンシなどを識別し得る。
【００９６】
[00105]図８に示されているように、いくつかの態様では、プロセス８００は、能力および／または測定オブジェクトに少なくとも部分的に基づいてユーザ機器の切替えパターンを構成することを含み得る（ブロック８３０）。たとえば、基地局は、（たとえば、コントローラ／プロセッサ２４０、送信プロセッサ２２０、ＴＸ  ＭＩＭＯプロセッサ２３０、ＭＯＤ２３２、アンテナ２３４などを使用して）ユーザ機器の切替えパターンを構成し得る。基地局は、能力および／または測定オブジェクトに少なくとも部分的に基づいて切替えパターンを構成し得る。たとえば、切替えパターンは、帯域幅部分間で切り替えるための十分な時間を割り振ること、および／または帯域幅部分間で切り替えることに関連付けられた不要な時間を低減することを行うように構成され得る。
【００９７】
[00106]プロセス８００は、以下で説明される、および／または本明細書の他の場所で説明される１つまたは複数の他のプロセスに関する、任意の単一の態様または態様の任意の組合せなど、追加の態様を含み得る。
【００９８】
[00107]いくつかの態様では、能力は、少なくとも、第１の帯域幅部分から第２の帯域幅部分に切り替えるためのレイテンシを含む。いくつかの態様では、能力は、ダウンリンク帯域幅部分間で切り替えるためのものである。いくつかの態様では、能力は、アップリンク帯域幅部分間で切り替えるためのものである。いくつかの態様では、能力は、第１の帯域幅部分のためのシグナリング手法および第２の帯域幅部分のためのシグナリング手法に少なくとも部分的に基づく。
【００９９】
[00108]図８はプロセス８００の例示的なブロックを示すが、いくつかの態様では、プロセス８００は、図８に示されているもの以外に、追加のブロック、より少数のブロック、異なるブロック、または別様に構成されたブロックを含み得る。追加または代替として、プロセス８００のブロックのうちの２つまたはそれ以上が並列に実施され得る。
【０１００】
[00109]図９は、本開示の様々な態様による、たとえば、ＵＥによって実施される例示的なプロセス９００を示す図である。例示的なプロセス９００は、ＵＥ（たとえば、ＵＥ１２０）が複数の帯域幅部分のための無線リソース管理を実施する一例である。
【０１０１】
[00110]図９に示されているように、いくつかの態様では、プロセス９００は、ユーザ機器の複数のアクティブ化された帯域幅部分に関して、しきい値が満たされると決定することを含み得る（ブロック９１０）。たとえば、ユーザ機器は、（たとえば、コントローラ／プロセッサ２８０などを使用して）ユーザ機器の複数のアクティブ化された帯域幅部分に関して、しきい値が満たされると決定し得る。しきい値は、セル品質、測定値、複数のアクティブ化された帯域幅部分上の負荷などに関し得る。
【０１０２】
[00111]図９に示されているように、いくつかの態様では、プロセス９００は、複数のアクティブ化された帯域幅部分に関して、復元または変更を引き起こすためのメッセージを送信することを含み得る（ブロック９２０）。たとえば、ユーザ機器は、（たとえば、コントローラ／プロセッサ２８０、送信プロセッサ２６４、ＴＸ  ＭＩＭＯプロセッサ２６６、ＭＯＤ２５４、アンテナ２５２などを使用して）複数のアクティブ化された帯域幅部分に関して、復元または変更を引き起こすためのメッセージを送信し得る。復元は、基地局（たとえば、ＢＳ１１０）によってスケジュールおよび／または構成され得る。たとえば、ＢＳ１１０は、複数のアクティブ化された帯域幅部分を交換するために帯域幅部分のペア（たとえば、２つまたはそれ以上の帯域幅部分）を決定し得、帯域幅部分のペアに切り替えられるようにユーザ機器を構成し得る。
【０１０３】
[00112]プロセス９００は、以下で説明される、および／または本明細書の他の場所で説明される１つまたは複数の他のプロセスに関する、任意の単一の態様または態様の任意の組合せなど、追加の態様を含み得る。
【０１０４】
[00113]いくつかの態様では、メッセージは、競合ベースランダムアクセスメッセージである。いくつかの態様では、しきい値は、複数のアクティブ化された帯域幅部分に関連付けられた信号品質値または負荷のうちの少なくとも１つに関する。いくつかの態様では、アップリンク帯域幅部分におけるメッセージのためのリソースは、複数のアクティブ化された帯域幅部分のうちの帯域幅部分の残存システム情報中で示される。いくつかの態様では、メッセージは、アップリンク帯域幅部分の事前構成されたリソース中で送信される。いくつかの態様では、ユーザ機器は、しきい値長さの時間内にメッセージへの応答を受信しないことに少なくとも部分的に基づいてメッセージを再送信し得る。いくつかの態様では、しきい値が満たされると決定することは、しきい値が、しきい値長さの時間の間、満たされると決定することを備える。
【０１０５】
[00114]図９はプロセス９００の例示的なブロックを示すが、いくつかの態様では、プロセス９００は、図９に示されているもの以外に、追加のブロック、より少数のブロック、異なるブロック、または別様に構成されたブロックを含み得る。追加または代替として、プロセス９００のブロックのうちの２つまたはそれ以上が並列に実施され得る。
【０１０６】
[00115]図１０Ａおよび図１０Ｂは、本開示の様々な態様による、複数の異なる帯域幅部分に関係する測定オブジェクトの例１０００を示す図である。
【０１０７】
[00116]図１０Ａに、および参照番号１０１０によって、示されているように、測定オブジェクトはシングルキャリアに対応し得る。これは、あらゆる帯域幅部分のための異なる測定オブジェクト、あるいはあらゆる測定構成および／または報告構成のための異なる測定オブジェクトを使用することよりも効率的であり得る。
【０１０８】
[00117]参照番号１０２０によって示されているように、測定オブジェクトは、キャリアの各帯域幅部分のための測定構成を識別する情報を含み得る。各測定構成は、各測定構成から対応する報告タイプへのラインによって示される、対応する報告構成を識別する情報を含み得る。ここで、第１および第２の測定構成は、第１の報告タイプ（たとえば、報告タイプ１）に関連付けられ、第３および第４の測定構成は、第２の報告タイプ（たとえば、報告タイプ２）に関連付けられる。報告構成は、参照番号１０３０によって示されている。ここで、（たとえば、特定の帯域幅部分識別子に関連付けられた）特定の帯域幅部分のための報告構成は、特定の帯域幅部分識別子を識別する、対応する報告構成中の情報に少なくとも部分的に基づいて識別され得る。
【０１０９】
[00118]次に図１０Ｂを参照すると、いくつかの態様では、特定の帯域幅部分のための報告構成は、特定の帯域幅部分のための測定構成中の対応する報告構成のポインタまたはインジケーションによって識別され得ることがわかり得る。参照番号１０４０によって、および一例として、示されているように、ＢＷＰ１およびＢＷＰ２は、報告構成１に関連付けられ得る。参照番号１０５０によって、および一例として、示されているように、ＢＷＰ３およびＢＷＰ４は、報告構成２に関連付けられ得る。
【０１１０】
[00119]次に図１０Ａに戻ると、参照番号１０６０によって示されているように、測定オブジェクトは、セル品質導出構成を識別する情報を含み得る。たとえば、測定オブジェクトは、セル品質値を決定するために測定値がどのように組み合わせられるべきであるかを示し得る。より特定の例として、セル品質導出構成は、（たとえば、ＮＲ−ＰＢＣＨを有する帯域幅部分について）単一の測定された値が使用されるべきであるかどうか、最大値が決定されるべきであるかどうか、値が平均化されるべきであるかどうかなどを示し得る。
【０１１１】
[00120]さらに示されているように、ＢＷＰ１〜４のうちのいずれか１つ（または任意の他の帯域幅部分）のための測定構成は、特定の情報を含み得る。たとえば、および参照番号１０７０によって示されているように、帯域幅部分が同期信号ブロックを含むとき、帯域幅部分のための測定構成は、帯域幅部分の中心周波数、帯域幅部分の帯域幅、および／または中心周波数から同期信号ブロックまでの周波数オフセットを識別し得る。
【０１１２】
[00121]参照番号１０８０によって示されているように、帯域幅部分が同期信号ブロックを含まないとき（たとえば、帯域幅部分が基準信号を含むとき）、測定構成は、帯域幅部分の中心周波数、帯域幅部分の帯域幅、帯域幅部分のＣＳＩ−ＲＳ構成、別の帯域幅部分またはキャリア中の同期信号ボックのためのポインタ（たとえば、擬似コロケーションまたはインジケーションポインタ）などを識別し得る。このようにして、測定構成は、帯域幅部分が同期信号ブロックを含むのか基準信号を含むのかに少なくとも部分的に基づいて、帯域幅部分のための測定値を決定することに関連する情報を示し得る。
【０１１３】
[00122]上記のように、図１０Ａおよび図１０Ｂは例として与えられる。他の例が可能であり、図１０Ａおよび図１０Ｂに関して説明されたものとは異なり得る。
【０１１４】
[00123]上記の開示は、例示および説明を与えるが、網羅的なものでも、開示された厳密な形態に態様を限定するものでもない。修正および変形が、上記の開示に照らして可能であるか、または態様の実施から得られ得る。
【０１１５】
[00124]本明細書で使用される構成要素という用語は、ハードウェア、ファームウェア、またはハードウェアとソフトウェアの組合せとして広く解釈されるものとする。本明細書で使用されるプロセッサは、ハードウェア、ファームウェア、またはハードウェアとソフトウェアの組合せで実装される。
【０１１６】
[00125]本明細書では、しきい値に関するいくつかの態様が説明される。本明細書で使用されるしきい値を満たすことは、値が、しきい値よりも大きいこと、しきい値よりも大きいかまたはそれに等しいこと、しきい値よりも小さいこと、しきい値よりも小さいかまたはそれに等しいこと、しきい値に等しいこと、しきい値に等しくないことなどを指し得る。
【０１１７】
[00126]本明細書で説明されるシステムおよび／または方法は、ハードウェア、ファームウェア、またはハードウェアとソフトウェアの組合せの異なる形態で実装され得ることが明らかであろう。これらのシステムおよび／または方法を実装するために使用される実際の特殊な制御ハードウェアまたはソフトウェアコードは、態様を限定するものではない。したがって、システムおよび／または方法の動作および挙動は、特定のソフトウェアコードと無関係に本明細書で説明され、ソフトウェアおよびハードウェアは、本明細書の説明に少なくとも部分的に基づいて、システムおよび／または方法を実装するように設計され得ることが理解される。
【０１１８】
[00127]特徴の特定の組合せが特許請求の範囲において具陳されおよび／または本明細書で開示されたが、これらの組合せは、可能な態様の開示を限定するものではない。実際は、これらの特徴の多くは、詳細には、特許請求の範囲において具陳されずおよび／または本明細書で開示されない方法で、組み合わせられ得る。以下に記載される各従属請求項は、１つの請求項のみに直接従属し得るが、可能な態様の開示は、特許請求の範囲中のあらゆる他の請求項と組み合わせた各従属請求項を含む。項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１１９】
[00128]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
【図１】
2020535737.tif 000003
【図２】
2020535737.tif 000004
【図３】
2020535737.tif 000005
【図４】
2020535737.tif 000006
【図５Ａ】
2020535737.tif 000007
【図５Ｂ】
2020535737.tif 000008
【図６】
2020535737.tif 000009
【図７】
2020535737.tif 000010
【図８】
2020535737.tif 000011
【図９】
2020535737.tif 000012
【図１０Ａ】
2020535737.tif 000013
【図１０Ｂ】
2020535737.tif 000014
【国際調査報告】
2020535737.tif 000015
2020535737.tif 000016